(57)【要約】【課題】録画技術に関連して、ユーザの取り扱いが便利となるように対処した電子機器及び電子機器の制御方法を提供することを主たる目的とする。【解決手段】録画予約された番組を録画するよう制御する録画制御モジュールと、前記録画予約された番組について重複録画予約されていることを検出する検出モジュールとを備え、前記検出モジュールは番組の録画実行前の所定期間に前記重複録画予約を検出し、前記録画制御モジュールは、前記検出モジュールの検出結果に基づいて同じ番組の重複録画が実行されないよう制御する。【選択図】図３
2014116781.tif 000002
【特許請求の範囲】
【請求項１】
録画予約された番組を録画するよう制御する録画制御モジュールと、
前記録画予約された番組について重複録画予約されていることを検出する検出モジュールとを備え、
前記検出モジュールは番組の録画実行前の所定期間に前記重複録画予約を検出し、
前記録画制御モジュールは、前記検出モジュールの検出結果に基づいて同じ番組の重複録画が実行されないよう制御する電子機器。
【請求項２】
前記録画制御モジュールが前記検出モジュールの検出結果に基づいて同じ番組の重複録画が実行されないよう制御した場合に、
該重複録画が実行されない旨または実行されなかった旨をユーザに示すよう制御する表示制御モジュールを備える請求項１に記載の電子機器。
【請求項３】
前記検出モジュールは更に、前記録画予約の登録操作時に同じ番組について既に録画予約が登録されているか否かを検出し、
前記録画予約の登録操作時に同じ番組について既に録画予約が登録されていることが前記検出モジュールで検出された場合に、同じ番組について既に録画予約が登録されている旨をユーザに示すよう制御する表示制御モジュールを備える請求項１に記載の電子機器。
【請求項４】
視聴中の番組を番組終了まで録画させる第１の設定と、視聴中の番組を所定時間録画させる第２の設定とのいずれかの設定の選択をユーザに許可する選択モジュールと、
前記録画制御モジュールは、前記録画予約に基づいて録画を実行する第１の録画方法で番組を録画するよう制御する手段と、前記第１の設定または前記第２の設定に基づいて視聴中の番組を録画する第２の録画方法で番組を録画するよう制御する手段を含み、
前記第１の録画方法で既に第１の番組の録画が実行されていて、かつ前記第２の録画方法で前記第１の番組が録画されようとしている場合、前記選択モジュールは、前記第１の設定が選択されないよう制御する請求項１に記載の電子機器。
【請求項５】
前記選択モジュールにて、第１の設定が既に設定されている場合であり、
前記第１の録画方法で既に第１の番組の録画が実行されていて、かつ前記第２の録画方法で前記第１の番組を録画されようとした場合には、
前記録画制御モジュールは前記第１の設定に替えて前記第２の設定に従って前記第１の番組を前記所定時間録画するよう制御する請求項４に記載の電子機器。
【請求項６】
前記検出モジュールは、番組のイベントIDに基づいて前記重複録画予約が設定されていることを検出する請求項１乃至請求項４に記載の電子機器。
【請求項７】
録画制御モジュールによって、録画予約された番組を録画するよう制御し、
検出モジュールによって、前記録画予約された番組について重複録画予約されていることを検出し、
前記検出モジュールは、番組の録画実行前の所定期間に前記重複録画予約を検出し、
前記録画制御モジュールは、前記検出モジュールの検出結果に基づいて同じ番組の重複録画が実行されないよう制御する電子機器の制御方法。
【発明の詳細な説明】
【技術分野】
【０００１】
この発明の実施の形態は、例えば放送番組を録画する電子機器及び該電子機器の制御方法に関する。
【背景技術】
【０００２】
デジタル放送の番組を記録や再生することが可能な放送受信装置が普及している。例えば、デジタル放送受信装置は、ＨＤＤ(Hard Disk Drive)、ＤＶＤ（Digital Versatile Disk）及び不揮発性メモリ等の記憶媒体を使ってデジタル放送の番組を記録する。また、近年は複数チューナを備え、複数の番組を同時にマルチ録画する放送受信装置など、様々な録画技術が開発されている。
【０００３】
特許文献１には、外部接続された録画機器に対して録画を行なわせるための録画情報の管理に関する技術が開示されている。
【先行技術文献】
【特許文献】
【０００４】
【特許文献１】特開２００８−６７３２７号公報
【発明の概要】
【発明が解決しようとする課題】
【０００５】
この発明は、録画技術に関連して、ユーザの取り扱いが便利となるように対処した電子機器及び電子機器の制御方法を提供することを主たる目的とする。
【課題を解決するための手段】
【０００６】
実施形態の電子機器は、録画予約された番組を録画するよう制御する録画制御モジュールと、前記録画予約された番組について重複録画予約されていることを検出する検出モジュールとを備え、前記検出モジュールは番組の録画実行前の所定期間に前記重複録画予約を検出し、前記録画制御モジュールは、前記検出モジュールの検出結果に基づいて同じ番組の重複録画が実行されないよう制御する。
【図面の簡単な説明】
【０００７】
【図１】実施の形態における受信装置の主要な信号処理系を示す図である。
【図２】実施の形態における受信装置で表示されるＥＰＧの例を示す図である。
【図３】実施の形態における受信装置の録画処理動作の一例を説明するための図である。
【図４】実施の形態における受信装置で表示されるメニューの例を示す図である。
【図５】実施の形態における受信装置で表示されるメニューの例を示す図である。
【図６】実施の形態における受信装置で表示されるメニューの例を示す図である。
【図７】実施の形態における受信装置で表示されるメニューの例を示す図である。
【図８】実施の形態における受信装置で表示されるメニューの例を示す図である。
【図９】実施の形態における受信装置の録画処理動作の一例を説明するための図である。
【発明を実施するための形態】
【０００８】
以下、この発明の実施形態について、図面を参照しながら説明する。図１は、以下の実施形態で説明するテレビジョン放送受信装置１０（以下受信装置１０と称する）の信号処理系の概略を示している。
【０００９】
受信装置１０のキャビネット（筺体）には、例えば液晶表示パネルやプラズマパネル等を備えた平面パネル型ディスプレイであるディスプレイ１１４、スピーカ１１５、操作モジュール１１６、リモートコントローラ１１７から送信される操作情報を受けるリモコン受光モジュール１１８等が設置されている。
【００１０】
アンテナ２５で受信したデジタルテレビジョン放送信号（放送波）は、入力端子２６を介してチューナ部２７に供給される。所望のチャンネルの放送信号がチューナ部２７により選局される。チューナ部２７は、複数のチューナを含み、本実施形態ではチューナ２７ａ及びチューナ２７ｂを含む。２つのチューナ２７ａ、２７ｂで選局可能なため、受信装置１０は少なくとも同一時間帯の二つの番組を同時録画できる。なお、チューナ部２７には更にチューナを含む構成でもよい。
【００１１】
チューナ部２７で選局された放送信号は、復調・復号モジュール２８に供給されてデジタルの映像信号及び音声信号等に復元された後、信号処理モジュール２９に出力される。信号処理モジュール２９は、復調・復号モジュール２８から供給されたデジタルの映像信号及び音声信号に対してそれぞれ所定のデジタル信号処理を施している。
【００１２】
信号処理モジュール２９は、デジタルの映像信号を合成処理モジュール３０に出力し、デジタルの音声信号を音声処理モジュール３１に出力している。合成処理モジュール３０は、信号処理部２９から供給されるデジタルの映像信号に、ＯＳＤ（on screen display）信号を重畳して映像処理モジュール３２に出力している。
【００１３】
映像処理モジュール３２は、入力されたデジタルの映像信号を、後段の表示装置（ディスプレイ１１４）で表示可能なフォーマットに変換している。映像処理モジュール３２では、後述する超解像処理や動画改善処理を含めて様々な画質処理が行われる。映像処理モジュール３２から出力された映像信号が、ディスプレイ１１４に供給されて映像表示に供される。
【００１４】
音声処理モジュール３１は、入力されたデジタルの音声信号を、後段のスピーカ１１５で再生可能なフォーマットの音声信号に変換している。音声処理モジュール３１から出力された音声信号が、スピーカ１１５に供給されることにより音声再生に供される。
【００１５】
受信装置１０は、上記した各種の受信動作や選局動作を含む全ての動作が制御モジュール３５によって統括的に制御されている。制御モジュール３５は、ＣＰＵ（central processing unit）３５ａを内蔵しており、受信装置１０の本体に設置された操作モジュール１１６（例えば、本体筺体の側面等に設けられた操作スイッチ）からの操作信号を受けて、または、リモートコントローラ１１７から送出され受光モジュール１１８で受信した操作信号を受けて、その操作内容が反映されるように各コンポーネントをそれぞれ制御している。
【００１６】
制御モジュール３５は各コンポーネントを制御する際にメモリ３５ｂを利用している。メモリ３５ｂは、主として、ＣＰＵ３５ａが実行する制御プログラムを格納したＲＯＭ（read only memory）と、ＣＰＵ３５ａに作業エリアを提供するためのＲＡＭ（random access memory）と、各種の設定情報及び制御情報等が格納される不揮発性メモリを含む。また、メモリ３５ｂには、例えば後述する番組情報・登録された録画予約情報・各種メニューを表示するためのデータが記録される。録画予約情報には、後述する番組情報に含まれるイベントＩＤも含まれる。
【００１７】
制御モジュール３５は録画制御モジュール３５ｃが含まれる。録画制御モジュール３５ｃは、チューナ部２７で選局された番組の録画を制御する。番組等のコンテンツデータは、所定の記憶媒体に記録される。例えば、制御モジュール３５には、受信装置１０に内蔵のＨＤＤ（hard disk drive）４３が接続されていてもよいし、ＵＳＢインターフェース４４を介して外付けのＨＤＤ４５が接続されていてもよい。あるいは、ＨＤＭＩ等のインターフェースで外部接続されたＨＤＤレコーダ等が接続されていてもよい。録画制御モジュール３５ｃは、ユーザによる操作モジュール１１６やリモートコントローラ１１７等の操作に基づいて、上記復調・復号モジュール２８から得られるデジタルの映像信号及び音声信号を、ＨＤＤ４３やＨＤＤ４５等の記憶媒体に記録させるように制御する。
【００１８】
録画制御モジュール３５ｃは、リモートコントローラ１１７等の操作に応じて入力された録画予約情報をメモリ３５ｂに登録する。録画制御モジュール３５ｃは、登録された録画予約情報に基づいて、目的の番組が放送開始となれば、当該番組の録画が実行されるよう制御する。また、制御モジュール３５はＨＤＤ４３やＨＤＤ４５等の記憶媒体に記録された番組を再生するよう制御する再生モジュールを含む。
【００１９】
リモートコントローラ１１７の上下キーや左右キー等を用いて、後述する図２に示すＥＰＧ５０上でカーソル５３を操作することや決定操作等のユーザ操作が行われることで、録画制御モジュール３５ｃは各番組の録画予約の登録や録画の実行を制御する。録画予約された番組に対しては、図２で示すように、録画予約設定されたことを示すインジケータ５４が表示される。また、録画実行されている番組に対して同様のインジケータ（録画実行中を示すインジケータ）を表示するようにしてもよい。
【００２０】
制御モジュール３５は、検出モジュール３５ｄを含む。検出モジュール３５ｄは、録画予約された番組の放送開始前（実際の録画実行前）の所定期間に、同じ番組に対して重複した録画予約（重複録画予約と称する）が登録されているか否かを検出する。より具体的には、番組情報に含まれる識別子（サービスインフォメーション情報）を用いて重複録画予約を検出する。サービスインフォメーション情報（ＳＩ情報）には後述するイベントＩＤなど各種の識別子が含まれ、本実施形態ではイベントＩＤを用いることで重複録画予約を検出する。放送開始前の所定期間は、例えば、録画予約された番組の放送が開始される前の５分間である。
【００２１】
検出モジュール３５ｄは、録画予約の登録操作時にも重複録画予約を検出する。つまり、検出モジュール３５ｄは、ある番組についてこれから録画予約を登録しようとする際に同じ番組について既に録画予約が登録されているか否かを検出することが出来る。録画制御モジュール３５ｃは、検出モジュール３５ｄの検出結果に基づいて、同じ番組の重複した録画が実行されないよう制御する。この点は後述する図３のフローを用いて説明する。
【００２２】
制御モジュール３５は、番組表モジュール３５ｅを含む。番組表モジュール３５ｅは、アンテナ２５で受信した放送波に含まれる電子番組表（ＥＰＧ）情報を基にＥＰＧを作成する。ＥＰＧを構成するチャンネルや番組タイトルなどの番組情報はメモリ３５ｂに記憶される。
【００２３】
図２で示すＥＰＧ５０は、ディスプレイ１１４に表示されるＥＰＧの一例である。ＥＰＧ５０は、ユーザによる所定の操作（例えば、リモートコントローラ１１７の番組表呼び出しボタンを押下する）に基づいて、ディスプレイ１１４に表示される。ＥＰＧ５０は、水平方向に放送局（放送局Ａ、放送局Ｂ、放送局Ｃ、放送局Ｄ）及びそのチャンネル番号（１ｃｈ、２ｃｈ、９ｃｈ、１０ｃｈ）に対応する複数（図２の場合は４つ）のチャンネル表示枠を配列したチャンネル軸５１と、垂直方向に時系列的に連続した単位時間（図示の場合は１時間）に対応する複数（図２の場合は５時間分）の時間枠を配列した時間軸５２とが配列されている。そして、放送が予定されている各番組のタイトルや番組内容等の各種情報（Ａ１〜Ａ３、Ｂ１〜Ｂ２、Ｃ１〜Ｃ３、Ｄ１〜Ｄ２）が、チャンネル軸５１と時間軸５２とで指定された各領域（番組セル）に表示されるようになっている。ＥＰＧ５０は、放送波以外に外部のネットワーク（例えばインターネット）から受信した番組情報を用いて番組表を作成することも可能であるし、外部のネットワークから取得した番組情報と、アンテナ２５で放送局から受信した番組情報を組み合わせて一つの番組表を構成してもよい。
【００２４】
制御モジュール３５は、表示制御モジュール３５ｆを含む。表示制御モジュール３５ｇは、録画制御モジュール３５ｃが検出モジュール３５ｄの制御に基づいて同じ番組の重複録画が実行されないよう制御した場合に、その旨をユーザに示すメニューをディスプレイ１１４に表示するよう表示制御する（図５）。また、ユーザが録画予約を登録しようする際であって、検出モジュール３５ｄが既に同じ番組について録画予約が登録されていることを検出した場合、表示制御モジュール３５ｆは、既に同じ番組について録画予約が登録されている旨をユーザに示すメニューをディスプレイ１１４に表示するよう表示制御する（図４）。これらについては後述する図３、図４、図５などを用いて説明する。また、表示制御モジュール３５ｆの制御に基づいて後述する各種メニューなどのＧＵＩ（Graphical User Interface）が表示される。
【００２５】
図３は、受信装置１０が行なう録画処理動作の一例を示すフローチャートである。
【００２６】
ユーザはリモートコントローラ１１７の上下キーや左右キー等を用いて、図２に示すＥＰＧ５０上でカーソル５３を操作することや決定操作を行うことで、新規の録画予約を登録するための操作を行なう（ステップ１）。なおこの時点でまだ録画予約の登録は完了していない。
【００２７】
次に、ステップ１にてユーザが録画予約を登録しようとしている番組と同じ番組に対して既に録画予約が登録されているか否かを検出モジュール３５ｄの制御に応じて判別する（ステップ２）。例えば、図２にてＡ１にカーソル５３を移動させてリモートコントローラ１１７の決定ボタンを押下げすると、既にＡ１の番組に対して録画予約が登録されているか否かが判別される。
【００２８】
ステップ２にて、同じ番組に対して既に録画予約が登録されていた場合（ステップ２のＹｅｓ）、表示制御モジュール３５ｆは、例えば図４に示すような予約内容確認及び取消のためのメニュー（予約内容確認／取取り消しメニュー６０）をディプレイ１１４に表示するよう制御する。予約内容確認／取取り消しメニュー６０は、例えばＥＰＧ５０に重畳して表示される。予約内容確認／取り消しメニュー６０は、番組タイトル項目６１、チャンネル名・放送日時・放送時間帯などの番組情報項目６２、録画先項目６３、録画設定項目６４、既に登録された録画予約を取り消すか否かを示す選択項目６５を含む。例えば、ステップ１の録画予約操作を行なう以前に、既に番組Ａ１に対して録画予約が登録されており、その番組Ａ１に対して再度リモートコントローラ１１７の決定操作がなされると予約内容確認／取取り消しメニュー６０が表示される（ステップ３）。かかる表示がなされることによってユーザはＡ１に対して既に録画予約がされていることを判別することができる。
【００２９】
ユーザが選択項目６５にて「はい」を選択・決定し、予約内容を取り消す操作がなされた場合（ステップ４のＹｅｓ）には、当該録画予約が取り消される（ステップ５）。
【００３０】
ユーザが選択項目６５にて「いいえ」を選択・決定し、予約内容を取り消す操作が行われなかった場合（ステップ４のＮｏ）、ステップ１以前に既に登録された録画予約（上記例であれば番組Ａ１の録画予約）は取り消さない。
【００３１】
なお、録画先項目６３では、受信装置１１の第１のＵＳＢ端子（ＵＳＢ１）に接続されたハードディスクに番組Ａ１の番組データが記録されることを示している。録画設定項目６４は、録画予約されている番組に対する録画時間・録画先・録画品質など各種の録画設定を変更するための選択項目である。従ってユーザは録画設定項目６４を選択し、当該操作に従って、録画時間を分・時間単位で調整したり、録画先を別のＵＳＢ端子に接続されたハードディスクあるいは外部接続されたＨＤＤレコーダなどの外部機器にしたり、録画品質を低画質から高画質にすることなどの設定変更が可能である。
【００３２】
ステップ２にて、同じ番組に対する録画予約が登録されていなかった場合（ステップ２のＮｏ）、当該番組に対する録画予約が登録される（ステップ６）。例えば、図２のＥＰＧ５０上でカーソル操作して録画しようとする番組を選び、リモートコントローラ１１７の決定ボタンを押下げすると、選択された番組情報（タイトル、チャンネル、放送時間帯など）を表示する項目と、録画予約を登録するための選択項目とが含まれたメニューが表示される。録画予約を登録するための選択項目を選択され、決定操作が行われた場合、当該番組に対する録画予約が登録される。
【００３３】
次に、録画制御モジュール３５ｃは、録画予約された番組の放送開始前（録画実行予定時刻）になるか否かを判別する（ステップ７）。録画制御モジュール３５ｃ、録画予約された番組の開始時刻の所定期間前（例えば５分前）から、録画を実行するための準備動作（録画先のハードディスクの起動など）を行なう。
【００３４】
録画予約された番組の開始時刻となる場合（ステップ７のＹｅｓ）、検出モジュール３５ｄは、これから録画実行する番組と同じ番組に対して重複した録画予約が登録されているか否かを判別する（ステップ８）。
【００３５】
重複した録画予約が登録されていた場合（ステップ８のＹｅｓ）、録画制御モジュール３５ｃにより、重複した録画予約のうちのいずれかが取り消され（ステップ９）、同じ番組に対しては一つの録画予約のみが実行されるよう制御される（ステップ１０）。なお、重複した録画予約のうちのいずれかを取り消すかについては優先順位が設定されていてもよい。例えば、通常録画予約（一つの番組に対する録画予約）と後述する連ドラ予約とで重複録画予約がされていた場合は、通常録画予約の方を取り消す。かかる構成によれば、連ドラ予約の設定は維持され、次回の予約が実行されないということを回避できる。また、予約された順序で優先順位が設定されていてもよい。例えば録画予約が登録された番組ごとに予約ＩＤが付され、予約ＩＤが小さい方が優先順位高と設定されていてもよい。
【００３６】
このような重複録画が実行されないように制御された録画がなされた場合（ステップ１０）、表示制御モジュール３５ｆは、例えば図５に示すように重複した録画予約が実行されなかったことを示すためのメニュー（お知らせメニュー７０）をディプレイ１１４に表示するよう制御する（ステップ１１）。お知らせメニュー７０には例えば、同じ番組について重複して予約されていたために録画予約が実行されなかったこと、及び実行されなかった録画予約情報（日時・放送日時・チャンネル名・番組タイトル）などの情報が含まれる。
【００３７】
お知らせメニュー７０はユーザが受信装置１０の視聴中であれば重複録画予約が取り消された録画実行開始とほぼ同タイミングでディスプレイ１１４にユーザ操作を伴う事無く自動的に表示してもよい。あるいは、何らかのお知らせアイコンをディスプレイ１１４に表示し、ユーザのリモートコントローラ１１７による所定操作に応じて表示されるようにしてもよい。あるいは、録画完了後、何らかのお知らせアイコンをディスプレイ１１４に表示し、ユーザのリモートコントローラ１１７による所定操作に応じて表示してもよい。このように、ユーザに対して重複した録画予約が実行されなかったことを示すことが出来るのであれば、お知らせメニュー７０を表示するタイミングや表示の仕方及び表示内容については特に限定されない。
【００３８】
重複した録画予約がなされていなかった場合（ステップ８のＮｏ）は、録画予約されていた番組の録画が通常通り実行される（ステップ１２）。
【００３９】
以上のように、本実施形態の受信装置１０では、既に録画予約済みの番組に対してさらに録画予約しようとした際（録画予約時）に、同じ番組について重複した録画が予約登録されずに実行されないよう制御する（ステップ２のＹｅｓ→ステップ３→ステップ４→ステップ５）。更に、本実施形態の受信装置１０では、録画実行時にも、同じ番組について重複した録画が実行されないよう制御する（ステップ８のＹｅｓ→ステップ９）。かかる構成によれば、ユーザにとって重複した番組の録画を回避することができ、また、記憶媒体の記憶容量が無駄に消費されることを回避することが出来る。
【００４０】
また、このような同一番組についての重複録画を回避する録画制御が有効なケースについて以下説明する。例えば、有料放送番組やデジタル放送の著作権管理上、一つの番組に対しては重複した録画が実行されないようなルールがあった場合には、そのルールに従った録画機器がユーザに提供される必要がある。この場合、録画予約時に同じ番組について重複した録画が予約登録されないよう制御するだけでは不十分な可能性がある。
【００４１】
例えば、月曜日から金曜日の各曜日の午後０：００から午後１：００まで放送する番組Ａがあったとして、ユーザがＥＰＧ上で火曜日の番組Ａのセルに対して録画予約を登録したとする（第１の録画予約登録）。次に、ユーザがＥＰＧ上で同じ週の月曜日の番組Ａのセルに対して連ドラ予約を登録したとする（第２の録画予約登録）。「連ドラ予約」は、例えば毎週の所定曜日に放送される連続ドラマや毎日放送される番組などを個別に毎回予約登録することなく、一度の予約登録により録画予約が実行される予約設定であり、便宜上「連ドラ予約」と称する。連ドラ予約による録画制御は、番組タイトル名、放送開始時間、放送曜日などの各種情報を利用して実行される。上記例の場合、第２の録画予約登録を実行すると、火曜日の番組Ａに対して重複して録画予約が登録されることになる。しかしながら、検出モジュール３５ｄの制御負荷上、上記第２の録画予約登録時には、重複録画予約登録が検出できない場合がある。
【００４２】
このような場合でも、本実施形態では録画制御モジュール３５ｃや検出モジュール３５ｄの制御に応じて、録画実行時にも同じ番組について重複した録画が実行されないよう制御される（ステップ８のＹｅｓ→ステップ９→ステップ１０）。上記例であれば、火曜日の番組Ａに対して重複した録画が実行されない。従って、ユーザにとって重複した番組の録画を回避することができ、また、記憶媒体の記憶容量が無駄に消費されることを回避することが出来る。
【００４３】
重複録画予約が登録される別の例を説明する。例えば、月曜日から土曜日までの各曜日の午後０：００から午後１：００まで放送している番組Ｂがあり、なおかつ月曜日から土曜日までの各曜日の午前１１：５０から午前１１：５５まで放送している番組Ｃがあったとし、この番組Ｂと番組Ｃのタイトル名が類似したものであったとする。例えば、番組Ｂのタイトルが「いいかな」であり、番組Ｃのタイトルが「もうすぐいいかな」であったとする。そして、ユーザがＥＰＧ上で月曜日の番組Ｂのセルに対して連ドラ予約を登録したとする（第１の連ドラ予約登録）。更に、ユーザがＥＰＧ上で同じ週の月曜日の番組Ｃに対して同じく連ドラ予約を登録したとする（第２の連ドラ予約登録）。
【００４４】
そして、通常は土曜日に番組Ｂと番組Ｃの両方が放送されるが、たまたまある週の土曜日は番組Ｂが放送されるが、番組Ｃが放送されないとする。連ドラ予約は上記のとおり、タイトルや放送時間などの周期性を利用するため、類似したタイトル名や近い放送時間帯に放送される番組が目的の番組と誤認識して予約登録される恐れがある。上記例であると、番組Ｃは土曜日に放送されないにも関わらず、第２の連ドラ予約の予約登録として番組Ｂが番組Ｃであると誤認識して予約登録される可能性がある。そうすると、第１の連ドラ予約で登録されている土曜日の番組Ｂと、第２の連ドラ予約として誤って予約登録された番組Ｂとが重複した予約登録となる。
【００４５】
このような場合でも、本実施形態では録画制御モジュール３５ｃや検出モジュール３５ｄの制御に応じて、録画実行時にも同じ番組について重複した録画が実行されないよう制御される（ステップ８のＹｅｓ→ステップ９→ステップ１０）。上記例であれば、土曜日の番組Ｂに対して重複した録画が実行されないよう制御することができる。通常、番組情報は１週間などある一定期間しか放送局から送信されないため、数ヵ月後に放送される番組に対して、録画予約時点で将来的に録画予約が重複するということを検出モジュール３５ｄで検出できない恐れが高い。本実施形態によれば、このような場合に対処することができ、ユーザにとって重複した番組の録画を回避することができ、また、記憶媒体の記憶容量が無駄に消費されることを回避することが出来る。
【００４６】
なお、本実施形態の重複録画が実行されないよう制御する対象の番組は、受信装置１０が受信する番組全体に対して行なうことも出来るし、例えば番組情報を識別子として用いることで、有料放送番組のようにスクランブルがかかった番組に対してのみというように、特に重複録画が実行されないようにされるべき番組に対してのみ制御対象とすることも出来る。
【００４７】
また、録画予約登録されている番組のリスト上に、同一番組について重複した録画予約が登録されていることを示し、録画実行前に重複録画予約を取り消すようユーザに促すことも可能である。例えば、録画予約が設定されてから録画予約された番組の放送開始（ステップ７）の前、表示制御モジュール３５ｆは、ユーザ操作に応じて例えば図６に示すように登録されている録画予約のリスト（録画予約リスト８０）をディプレイ１１４に表示するよう制御する。
【００４８】
録画予約リスト８０は例えば、図６に示すように、予約登録されている番組のタイトル名・チャンネル・放送時間・録画先などの情報を含む。そして、本実施形態の録画予約リスト８０は、録画予約が重複している番組に対してその旨を示すアイコン８１を含む。図６では、ＭＬＢハイライトの番組が重複して録画予約されていることがアイコン８１によって示されている。かかる構成によれば、ユーザはカーソル操作でいずれかの項目（例えば図６の上方のＭＬＢハイライトの項目）を選択し、予約内容を確認した上で予約取り消すことができる。このように、録画実行前に重複録画予約を取り消すようユーザに促すことも可能である。
【００４９】
また、本実施形態の録画制御モジュール３５ｃは、録画予約に基づく録画実行だけでなく、それ以外の録画実行も可能である。例えば、リモートコントローラ１１７の操作に応じて現在放送中の番組を視聴中（選局中）に録画することも出来る。例えば、放送中の番組を視聴中にリモートコントローラ１１７の録画開始ボタンを押す。このように現在チューナで受信されて視聴中の番組の録画を便宜上クイック録画と称する。クイック録画を行なうために録画開始ボタンが押されると、表示制御モジュール３５ｆは、例えば図７に示すような録画メニュー９０をディスプレイ１１４に表示するよう制御する。録画メニュー９０は、例えば視聴中の番組の映像に重畳して表示される。録画メニュー９０は、録画時間項目９１、録画先９２、録画品質および録画可能時間項目９３、録画設定項目９４、録画を実行開始するか否かを示す選択項目９５を含む。録画時間は、選択項目９５にて録画を開始すると決定した場合の実行から録画が終了するまでの時間を示す。
【００５０】
クイック録画における録画時間は、図８の録画時間設定メニュー１００に示すように録画実行開始（今）から番組終了まで（選択項目１００ａ）、録画実行開始（今）から３０分まで（選択項目１００ｂ）、録画実行開始（今）から１時間まで（選択項目１００ｃ）、録画実行開始（今）から２時間（選択項目１００ｄ）、録画実行開始（今）から４時間（選択項目１００ｅ）から選択して設定することができる。つまり、クイック録画では、視聴中の番組を実行開始から当該番組の終了まで録画させる設定（第１の設定と称する）と、視聴中の番組を実行開始から所定時間録画される設定（第２の設定と称する）との２つの録画時間設定（が可能である。例えば、第１の設定は、クイック録画開始から番組終了まで録画を行なうことを希望するユーザのニーズに応えることが可能である。また、第２の設定は、番組終了までの録画を希望しないユーザや当該番組以降の番組も含めて所定時間録画希望するユーザのニーズに応えることができる。このように、ユーザはクイック録画の実行開始からの録画終了の時点を選ぶことが出来る。なお、ユーザによって一旦設定されたクイック録画の録画時間はメモリ３５ｂに記憶されて、次回以降の録画実行の際に当該設定が用いられてもよい。
【００５１】
クイック録画による録画時間を変更する場合には、録画メニュー９０の録画設定項目９４をリモートコントローラ１１７でカーソル選択して決定し、さらに録画時間の変更するための項目が選択して決定の操作を行なう。かかるユーザ操作により、録画時間設定メニュー１００を表示することが出来る。録画時間設定メニュー１００は例えば録画メニュー９０に重畳して表示される。
【００５２】
上述のとおり、録画制御モジュール３５ｃが制御する番組の録画には、録画予約に基づいて録画を行なう方法と、上記第１の設定または第２の設定に基づく録画を行なう方法との２つを有する。
【００５３】
ところで、周知のとおりＭＰＥＧ２のトランスポートストリーム（ＴＳ）には、上記ＥＰＧ５０の表示や録画制御を行うためのＳＩ（Service Information）が規定されている。ＳＩには、各番組単位で設定された識別子（イベントＩＤ)を含む。上述したＥＰＧを利用して番組単位で録画制御を行う際や、クイック録画にて録画開始から番組終了まで録画を行なう際には、このイベントＩＤを特定することで録画制御することが可能である。なお、当該イベントＩＤは同じ番組内容でも通常の放送と再放送とでは異なり、同じ番組内容でも異なるソース（例えば地デジとＢＳ）とでは異なる。
【００５４】
有料放送番組やデジタル放送番組に関する著作権上、上記イベントＩＤが特定できる方法で録画予約する場合は、同一のイベントＩＤの番組が重複して録画実行されないようにする放送規格上のルールがあった場合に、以下のような録画制御を行なうことで、ユーザの利便性を向上させることが出来る。
【００５５】
図９は、受信装置１０が行なう他の録画処理動作の一例を示すフローチャートである。なお、既に説明した内容と重複する部分についてはその説明を省略するか簡略する。
【００５６】
例えば、図２に示すＥＰＧ５０上でカーソル５３を操作することや決定操作を行うことで、新規の録画予約を登録するための操作を行ない、当該操作によってある番組（第１の番組とする）について録画予約が登録される（ステップ２０）。なお、当該録画予約は、連ドラ予約であってもよい。いずれの録画予約も、イベントＩＤが特定されることで録画すべき番組が指定される。
【００５７】
次に、ステップ２０にて録画予約が登録された番組の開始時刻になると、図３のステップ７と同様に当該録画が実行される（ステップ２１）。図３のステップ８〜ステップ１２で説明したように、同一番組の重複録画予約が登録されていたか否かの判別、重複録画予約の取り消し等の制御が含まれてもよい。
【００５８】
次に、ステップ２１にて録画が実行されている番組に対して、ユーザがリモートコントローラ１１７の録画ボタンを押下げする（クイック録画を実行しようとする）と（ステップ２２）、図７で示す録画メニュー９０が表示される（ステップ２３）。
【００５９】
この場合、録画制御モジュール３５ｃはクイック録画にて、視聴中の番組を実行開始から当該番組の終了まで録画させる設定（第１の設定）が実行されないよう制御する。具体的には例えば、録画メニュー９０にて録画設定項目９４を選択・決定して、録画時間設定メニュー１００を表示したとしても、録画時実行開始（今）から番組終了までの選択項目１００ａがグレーアウトされてユーザが選択できないようにされ、ユーザが他の設定項目１００ｂ〜１００ｅから選択できるよう表示制御される（ステップ２４）。そして、ユーザは他の設定項目（録画開始実行から所定時間まで）に基づいてクイック録画が実行かれるよう制御される（ステップ２５）。あるいは、既に録画時間設定メニュー１００にて録画実行開始（今）から番組終了まで（選択項目１００ａ）が設定されていたとしても、当該設定を他の設定項目（録画開始実行から所定時間まで）に変更してクイック録画が実行かれるよう制御されてもよい。
【００６０】
つまり、クイック録画にて番組終了までの設定（第１の設定）に従って録画が実行されるとすると、ステップ２１でも第１の番組についてＥＰＧを用いた録画予約に録画が実行されているため、同一イベントＩＤが指定されることによる同一番組の録画が重複して実行されることとなる。そうすると、上記のとおり、イベントＩＤが特定できる方法で録画予約する場合は、同一のイベントＩＤの番組が重複して録画実行されないようにする放送規格上のルールに対応しないこととなり得る。
【００６１】
しかしながら、クイック録画による録画実行開始（今）から所定時間という録画では、イベントＩＤを指定せずに録画を実行することができるため、図９で説明した本実施形態の受信装置１０の録画処理であればこのようなルールを遵守し、なおかつユーザの利便性を向上させることが出来る。
【００６２】
例えば、ＰＭ７：００〜ＰＭ８：００までに放送される第１の番組があったとして、当該番組をＥＰＧ上で録画予約し、当該番組の録画が実行される（ステップ２０、ステップ２１）。そして、第１の番組の録画実行中にユーザが第１の番組を視聴し、視聴中のＰＭ７：１５にリモートコントローラ１１７の録画ボタンを押下げする（クイック録画を実行しようとする）と（ステップ２２）、図７で示す録画メニュー９０が表示される（ステップ２３）。
【００６３】
録画メニュー９０にて録画設定項目９４を選択・決定して、録画時間設定メニュー１００を表示したとしても、録画時実行開始（今）から番組終了までの選択項目１００ａがグレーアウトされてユーザが選択できないようにされ、ユーザが他の設定項目１００ｂ〜１００ｅから選択できるよう表示制御される（ステップ２４）。
【００６４】
例えば、ユーザは、録画実行開始（今）から３０分を選択・決定する。そうすると、録画予約に基づいて録画されたＰＭ７：００〜ＰＭ８：００の第１の番組の録画データと、クイック録画に基づいて録画されたＰＭ７：１５〜ＰＭ７：４５の第１の番組の録画データとの両者を個別に記憶媒体に記憶することができる。
【００６５】
また、ユーザが、録画実行開始（今）から１時間を選択・決定したとすると、録画予約に基づいて録画されたＰＭ７：００〜ＰＭ８：００の第１の番組の録画データと、クイック録画に基づいて録画されたＰＭ７：１５〜ＰＭ８：１５の第１の番組及び後続の番組の録画データとの両者を個別に記憶媒体に記憶することができる。
【００６６】
以上のように、本実施形態の受信装置１０では、録画予約時及び録画実行時に、同じ番組について重複した録画が実行されないよう制御する。特に、録画実行時に同じ番組について重複した録画が実行されないよう制御するため、録画予約時には検出しきれない将来的な重複録画を効果的に回避することができる。
【００６７】
また、本実施形態の受信装置１０では、お知らせメニュー７０に関して説明したように、ユーザに対して重複した録画が実行されなかった旨を示すことが出来る表示制御手段を備える。従って、録画実行時及び録画完了後に重複した録画が実行されなかったこと及びその理由等を適切に把握することができる。
【００６８】
また、本実施形態の受信装置１０では、録画予約リスト８０のアイコン８１で説明したように、録画予約リストにて重複した録画予約の有無を判別することが出来る。従って、録画実行前に重複録画予約を取り消すようユーザに促すことも可能である。
【００６９】
また、本実施形態の受信装置１０では、イベントＩＤが特定できる方法で録画が実行されている場合に更にクイック録画を実行しようとする場合には、「録画実行開始（今）から番組終了まで」というようなイベントＩＤを用いる録画設定がされないよう制御されたクイック録画が行われるようにしている。従って、基本的には重複録画を回避しつつも、ユーザにとって利便性のある録画予約の実行及びクイック録画を実行させることが可能である。
【００７０】
この発明は上記した実施の形態や図面そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７１】
１０…受信装置、２５…アンテナ、２６…入力端子、２７…チューナ部、２７ａ…チューナ、２７ｂ…チューナ、２８…復調・復号モジュール、２９…信号処理モジュール、３０…合成処理モジュール、３１…音声処理モジュール、３２…映像処理モジュール、３５…制御モジュール、３５ａ…ＣＰＵ、３５ｂ…メモリ、３５ｃ…録画制御モジュール、３５ｄ…検出モジュール、３５ｅ…番組表モジュール、３５ｆ…表示制御モジュール、４３…ＨＤＤ、４４…ＵＳＢインターフェース、４５…ＨＤＤ、５０…ＥＰＧ、５１…チャンネル軸、５２…時間軸、５３…カーソル、５４…インジケータ、６０…予約内容確認／取取り消しメニュー、６１…番組タイトル項目、６２…番組情報項目、６３…録画先項目、６４…録画設定項目、６５…選択項目、７０…お知らせメニュー、８０…録画予約リスト、８１…アイコン、９０…録画メニュー、９１…録画時間設定項目、９２…録画先項目、９３…録画品質および録画可能時間項目、９４…録画設定項目、９５…選択項目、１００…録画時間設定メニュー、１００ａ〜１００ｅ…設定項目
【図１】
2014116781.tif 000003
【図２】
2014116781.tif 000004
【図３】
2014116781.tif 000005
【図４】
2014116781.tif 000006
【図５】
2014116781.tif 000007
【図６】
2014116781.tif 000008
【図７】
2014116781.tif 000009
【図８】
2014116781.tif 000010
【図９】
2014116781.tif 000011